(57)【要約】【課題】構造体が衝撃を受けた場合でも、その構造体に支持された被支持体が有する記録部による記録媒体に対する記録処理の精度が低下することを抑制することが可能な記録装置を提供する。【解決手段】インクジェット式プリンターは、三次元構造のベースユニット１４と、ベースユニット１４に対してロール紙Ｒに印刷を行うための記録ユニット１６とともに支持される搬送ユニット１５と、搬送ユニット１５及び記録ユニット１６をベースユニット１４に対して記録ユニット１６によるロール紙Ｒに対する印刷が可能な状態に支持する支持機構３５とを備える。支持機構３５は、ベースユニット１４に対して搬送ユニット１５及び記録ユニット１６を３箇所で固定状態に支持する固定支持部と、ベースユニット１４に対して搬送ユニット１５及び記録ユニット１６を上記３箇所以外の箇所において弾性変形した状態で支持する弾性支持部とを備える。【選択図】図３
2012024984.tif 000002
【特許請求の範囲】
【請求項１】
三次元構造の構造体と、
該構造体に対して記録媒体に記録処理を施すための記録部を有した状態で支持される被支持体と、
該被支持体を前記構造体に対して前記記録部による前記記録媒体に対する記録処理が可能な状態に支持する支持機構とを備え、
該支持機構は、前記構造体に対して前記被支持体を３箇所で固定状態に支持する固定支持部と、前記構造体に対して前記被支持体を前記３箇所以外の箇所において弾性変形した状態で支持する弾性支持部とを備えることを特徴とする記録装置。
【請求項２】
前記固定支持部は、前記被支持体の一方側を２箇所で支持するとともに他方側を１箇所で支持しており、
前記弾性支持部は、前記被支持体の前記他方側を支持していることを特徴とする請求項１に記載の記録装置。
【請求項３】
前記弾性支持部は、前記被支持体の一方側を支持する前記固定支持部と対向するように、前記被支持体の他方側を支持する前記固定支持部を挟んだ両側に配置されていることを特徴とする請求項２に記載の記録装置。
【請求項４】
前記被支持体が前記構造体に支持されていない状態において、
前記弾性支持部における前記被支持体を支持するための弾力性を有する支持面である第１支持面は、前記固定支持部における前記被支持体を支持するための支持面である第２支持面よりも上側に位置していることを特徴とする請求項１〜請求項３のうちいずれか一項に記載の記録装置。
【請求項５】
前記構造体は、前記被支持体を挟んだ両側にそれぞれ立設されるとともに該被支持体が装着されるフレームを備え、
前記固定支持部及び前記弾性支持部は、前記フレームの側部に設けられていることを特徴とする請求項１〜請求項４のうちいずれか一項に記録装置。
【発明の詳細な説明】
【技術分野】
【０００１】
本発明は、例えばプリンターなどの記録装置に関する。
【背景技術】
【０００２】
一般に、シート（記録媒体）に画像を形成する画像形成装置としては、例えば特許文献１に示すような、レーザーを感光に利用する所謂レーザープリンター（記録装置）が知られている。このプリンターは、トナー像が形成される感光体ドラムと、該感光体ドラムに形成されたトナー像が一次転写位置にて転写されるとともに該転写されたトナー像を二次転写位置にてシートに転写（印刷）する中間転写ベルトとを有する作像ユニット（被支持体）を備えている。
【０００３】
作像ユニットは、その作像ユニットが装置本体に組み込まれた後に装置本体が捩れ変形などを起こしたとしても、作像ユニットが捩れ変形しないように、装置本体に３点で支持された状態で組み込まれている。すなわち、作像ユニットを装置本体に３点で支持されるように組み込むことで、装置本体の変形によって作像ユニットに生じる応力を抑制して、装置本体が変形しても作像ユニットは変形し難くなるようにしている。
【先行技術文献】
【特許文献】
【０００４】
【特許文献１】特開２００３−１８６３７２号公報
【発明の概要】
【発明が解決しようとする課題】
【０００５】
ところで、特許文献１のプリンターは、作像ユニットが弾力性のほとんどない装置本体に３点で支持された状態で組み込まれているため、運搬中などに落下させられた場合には、その落下の衝撃で装置本体が捩れるような大きな力を受ける。このため、装置本体に組み込まれた作像ユニットが変形したり位置ずれしたりして印刷精度が低下してしまうという問題があった。
【０００６】
本発明は、このような従来技術に存在する問題点に着目してなされたものである。その目的とするところは、構造体が衝撃を受けた場合でも、その構造体に支持された被支持体が有する記録部による記録媒体に対する記録処理の精度が低下することを抑制することが可能な記録装置を提供することにある。
【課題を解決するための手段】
【０００７】
上記目的を達成するために、本発明の記録装置は、三次元構造の構造体と、該構造体に対して記録媒体に記録処理を施すための記録部を有した状態で支持される被支持体と、該被支持体を前記構造体に対して前記記録部による前記記録媒体に対する記録処理が可能な状態に支持する支持機構とを備え、該支持機構は、前記構造体に対して前記被支持体を３箇所で固定状態に支持する固定支持部と、前記構造体に対して前記被支持体を前記３箇所以外の箇所において弾性変形した状態で支持する弾性支持部とを備える。
【０００８】
この発明によれば、三次元構造の構造体に対して被支持体が固定支持部に加えて弾性支持部によっても支持されているため、構造体が衝撃を受けた場合でも、被支持体に加わる衝撃は弾性支持部の弾力性によって緩和される。このため、記録部を有する被支持体の変形や位置ずれなどが抑えられるので、その被支持体が有する記録部の位置状態が変化することも抑えられる。したがって、構造体が衝撃を受けた場合でも、その構造体に支持された被支持体が有する記録部による記録媒体に対する記録処理の精度が低下することを抑制することが可能となる。
【０００９】
本発明の記録装置において、前記固定支持部は、前記被支持体の一方側を２箇所で支持するとともに他方側を１箇所で支持しており、前記弾性支持部は、前記被支持体の前記他方側を支持している。
【００１０】
この発明によれば、固定支持部により１箇所でしか支持されていない被支持体の他方側が弾性支持部によって支持されているため、構造体が衝撃を受けた場合に、特に該衝撃によって変形し易い被支持体の他方側に加わる衝撃を緩和することが可能となる。
【００１１】
本発明の記録装置において、前記弾性支持部は、前記被支持体の一方側を支持する前記固定支持部と対向するように、前記被支持体の他方側を支持する前記固定支持部を挟んだ両側に配置されている。
【００１２】
この発明によれば、固定支持部により１箇所でしか支持されていない被支持体の他方側が弾性支持部によって該固定支持部を挟んだ両側で支持されているため、構造体が衝撃を受けた場合に、特に該衝撃によって変形し易い被支持体の他方側に加わる衝撃をバランスよく緩和することが可能となる。
【００１３】
本発明の記録装置において、前記被支持体が前記構造体に支持されていない状態において、前記弾性支持部における前記被支持体を支持するための弾力性を有する支持面である第１支持面は、前記固定支持部における前記被支持体を支持するための支持面である第２支持面よりも上側に位置している。
【００１４】
この発明によれば、被支持体が構造体に支持された際には弾性支持部が確実に弾性変形した状態で被支持体を支持するため、構造体が衝撃を受けた場合に、被支持体に加わる衝撃を弾性支持部の弾力性によって効果的に緩和することが可能となる。
【００１５】
本発明の記録装置において、前記構造体は、前記被支持体を挟んだ両側にそれぞれ立設されるとともに該被支持体が装着されるフレームを備え、前記固定支持部及び前記弾性支持部は、前記フレームの側部に設けられている。
【００１６】
この発明によれば、構造体が衝撃を受けた場合、その衝撃はフレームを介して被支持体に伝わるため、該被支持体に加わる衝撃を低減することが可能となる。
【図面の簡単な説明】
【００１７】
【図１】実施形態のインクジェット式プリンターの斜視図。
【図２】図１の側断面図。
【図３】同プリンターを後側から見たときの断面図。
【図４】同プリンターのベースユニットの平断面図。
【図５】同プリンターの右フレームの要部拡大図。
【図６】同プリンターの左フレームの要部拡大図。
【図７】同プリンターにおいて、ベースユニットに記録ユニット及び搬送ユニットが装着されていないときの左フレームの要部拡大図。
【発明を実施するための形態】
【００１８】
以下、本発明の記録装置をインクジェット式プリンターに具体化した一実施形態について、図面に従って説明する。また、以下の説明において、「前後方向」、「左右方向」、「上下方向」をいう場合は図１に矢印で示す前後方向、左右方向、上下方向をそれぞれ示すものとする。
【００１９】
図１及び図２に示すように、記録装置としてのインクジェット式プリンター１１は、略直方体状をなす本体ケース１２を備えている。本体ケース１２の後面には、記録媒体としてのロール紙Ｒを本体ケース１２内へ巻き出し可能に収容するロール紙収容ケース１３が取り付けられている。ロール紙Ｒは、巻き出された状態（巻き解かれた状態）では平らな帯状の連続紙となる。
【００２０】
本体ケース１２内における該本体ケース１２の底板１２ａ上には三次元フレーム構造のベースユニット１４が設けられている。そして、ベースユニット１４上には、ロール紙Ｒを搬送する搬送ユニット１５と、該搬送ユニット１５によって搬送されるロール紙Ｒに記録処理としての印刷を行う記録部としての記録ユニット１６とが支持されている。
【００２１】
搬送ユニット１５は、ロール紙収容ケース１３から巻き出されるロール紙Ｒを支持可能な平板状の支持台１７を備えている。搬送ユニット１５における支持台１７の前後両側には、ロール紙Ｒを該ロール紙Ｒの搬送経路に沿って上流側から下流側へ向かって搬送する搬送ローラー対１８，１９がそれぞれ設けられている。また、本体ケース１２内においてロール紙Ｒの搬送経路における搬送ユニット１５よりも上流側には、ロール紙収容ケース１３から本体ケース１２内へ巻き出されるロール紙Ｒを搬送ユニット１５へ導く中継ローラー対２０が配置されている。
【００２２】
図２及び図３に示すように、記録ユニット１６は、支持台１７と対向するとともにキャリッジモーター（図示略）によってロール紙Ｒの搬送方向と直交する方向（左右方向）に往復移動可能に構成されたキャリッジ２１を備えている。すなわち、記録ユニット１６内には左右方向（ロール紙Ｒの幅方向）に延びるガイド軸２２が架設されるとともに、該ガイド軸２２に対してキャリッジ２１が摺動可能に支持されている。
【００２３】
キャリッジ２１の下面には記録ヘッド２３が支持されるとともに、該記録ヘッド２３の下面は液体としてのインクを噴射する複数のノズル（図示略）が開口したノズル開口面になっている。そして、キャリッジ２１をガイド軸２２に沿って往復移動させながら支持台１７に支持されたロール紙Ｒに対して記録ヘッド２３の各ノズル（図示略）からインクを噴射することで印刷が行われるようになっている。
【００２４】
また、記録ユニット１６内における右端部には、キャリッジ２１を右端部に移動させた後に、記録ヘッド２３のノズル開口面をキャップ（図示略）で封止した状態で、各ノズル（図示略）からインクを吸引するクリーニングなどのメンテナンスを行うメンテナンス装置２４が設けられている。そして、記録ヘッド２３による印刷が行われない場合やインクジェット式プリンター１１の運搬時等に、メンテナンス装置２４のキャップ（図示略）で記録ヘッド２３のノズル開口面を封止することで、各ノズル（図示略）からのインク中の水分蒸発が防止される。
【００２５】
また、本体ケース１２内には、記録ユニット１６によって印刷が行われたロール紙Ｒを本体ケース１２外へ排出する排出搬送機構２５が設けられている。排出搬送機構２５は、印刷後のされたロール紙Ｒを排出する過程で反転させる排出経路２６ａを形成する排出経路形成部材２６を備えている。排出経路２６ａは左右方向から見て前側に膨らむ略円弧状をなしている。排出経路２６ａにおけるロール紙Ｒの上流端側及び下流端側にはロール紙Ｒを排出する排出ローラー対２７，２８がそれぞれ配置されている。
【００２６】
この場合、排出経路２６ａの下流端側に配置された排出ローラー対２８は、本体ケース１２の上面よりも上側に位置している。したがって、記録ユニット１６によって印刷が行われたロール紙Ｒは、排出経路２６ａに沿って搬送されて本体ケース１２の上面上に排出されるようになっている。
【００２７】
次に、ベースユニット１４による搬送ユニット１５及び記録ユニット１６の支持構造について説明する。
図３及び図４に示すように、ベースユニット１４は、互いに対をなすように左右方向に間隔を置いて本体ケース１２の底板１２ａ上に立設されるとともに矩形板状をなす左フレーム３０及び右フレーム３１を備えている。すなわち、左フレーム３０及び右フレーム３１は、左右方向において搬送ユニット１５を挟んだ両側に配置されている。左右両フレーム３０，３１の上下方向の中央部間には、矩形板状の補強板３２が架設されている。
【００２８】
搬送ユニット１５の左右両側面には、互いに対をなすように矩形状の左支持板３３及び右支持板３４がそれぞれ取着されている。この場合、左右両支持板３３，３４の上端部は搬送ユニット１５の上面よりも上側に位置する一方、左右両支持板３３，３４の下端部は搬送ユニット１５の下面よりも下側に位置している。
【００２９】
そして、左右両支持板３３，３４の上端部には記録ユニット１６が取着される一方、左右両支持板３３，３４の下端部は左右両フレーム３０，３１の上端部にそれぞれ取着されている。したがって、搬送ユニット１５及び記録ユニット１６は、左右両支持板３３，３４を介してそれぞれベースユニット１４に装着（支持）されている。
【００３０】
また、ベースユニット１４の左右両フレーム３０，３１の内側の面（側部）には、左右両支持板３３，３４を介して搬送ユニット１５及び記録ユニット１６をそれぞれベースユニット１４に装着した際に、左右両支持板３３，３４を介して搬送ユニット１５及び記録ユニット１６を支持する支持機構３５が備えられている。なお、本実施形態では、搬送ユニット１５、記録ユニット１６、及び左右両支持板３３，３４によって被支持体が構成されるとともに、ベースユニット１４及び本体ケース１２の底板１２ａによって三次元構造の構造体が構成されている。
【００３１】
図４〜図６に示すように、支持機構３５は、右フレーム３１の左面に設けられた２つの固定支持部３６と、左フレーム３０の右面に設けられた１つの固定支持部３６と、左フレーム３０の右面に設けられた２つの弾性支持部３７とを備えている。各固定支持部３６は、上面３８ａが水平な平面になっているとともに下側が開口した略Ｕ字状の金具３８によって構成される一方、弾性支持部３７は、金具３８と該金具３８の上面３８ａに設けられた直方体状のクッション材３９（本実施形態では独立気泡構造の発泡ウレタンが用いられている）とによって構成されている。
【００３２】
したがって、各固定支持部３６を構成する金具３８の上面３８ａは、該各固定支持部３６の第２支持面としての上面３６ａとなるとともに、各弾性支持部３７を構成するクッション材３９の上面３９ａは、該各弾性支持部３７の第１支持面としての上面３７ａとなる。なお、クッション材３９の上面３９ａ（弾性支持部３７の上面３７ａ）は水平な平面になっている。
【００３３】
右フレーム３１の左面に設けられた２つの固定支持部３６は、左右方向に間隔を置いて互いに対をなすように配置されている。一方、左フレーム３０の右面に設けられた２つの弾性支持部３７は、左フレーム３０の右面における１つの固定支持部３６を前後方向（搬送ユニット１５によるロール紙Ｒの搬送方向）において挟んだ両側に互いに対をなすように配置されている。
【００３４】
この場合、右フレーム３１の左面に設けられた２つの固定支持部３６と左フレーム３０の右面に設けられた１つの固定支持部３６とは、それらの上面３６ａが互いに同じ高さになるように配置されている。したがって、右フレーム３１の左面に設けられた２つの固定支持部３６と左フレーム３０の右面に設けられた２つの弾性支持部３７とは左右方向において対向（対応）している。
【００３５】
そして、図５及び図６に示すように、ベースユニット１４に搬送ユニット１５及び記録ユニット１６が装着（支持）された状態では、右支持板３４の前後両端部及び左支持板３３の前後方向の中央部が固定支持部３６によってそれぞれ固定状態に支持されるとともに、左支持板３３の前後両端部が弾性支持部３７によってそれぞれ支持される。
【００３６】
また、図７に示すように、ベースユニット１４に搬送ユニット１５及び記録ユニット１６が装着（支持）されていない状態では、各固定支持部３６の上面３６ａよりも各弾性支持部３７の上面３７ａの方が高くなっている。この状態からベースユニット１４に搬送ユニット１５及び記録ユニット１６が装着されることで、図３〜図６に示すように、搬送ユニット１５及び記録ユニット１６の右側（一方側）は、右支持板３４を介して２つの固定支持部３６によって支持される。
【００３７】
一方、搬送ユニット１５及び記録ユニット１６の左側（他方側）は、左支持板３３を介して１つの固定支持部３６及び２つの弾性支持部３７によって支持される。この場合、各弾性支持部３７のクッション材３９は、自身が持つ弾力性により弾性変形した状態で搬送ユニット１５及び記録ユニット１６を支持している。
【００３８】
このように、固定支持部３６は、ベースユニット１４に対して搬送ユニット１５及び記録ユニット１６を３箇所で固定状態に支持するとともに、弾性支持部３７は、ベースユニット１４に対して搬送ユニット１５及び記録ユニット１６を上記３箇所以外の２箇所において弾性変形した状態で支持している。
【００３９】
次に、インクジェット式プリンター１１が梱包状態での搬送中に落下されて衝撃を受けたときの作用について説明する。
さて、インクジェット式プリンター１１が落下による衝撃を受けると、右支持板３４の前後両端部が２つの固定支持部３６によって固定状態に支持されるとともに左支持板３３の前後方向の中央部が１つの固定支持部３６によって固定状態に支持されているため、左支持板３３の前後両端部が上下に揺れる（振動する）。このとき、左支持板３３の前後両端部は弾性支持部３７に支持されているため、該弾性支持部３７のクッション材３９の弾力性によって左支持板３３の前後両端部の上下の揺れが緩和（減衰）されて搬送ユニット１５及び記録ユニット１６が受ける衝撃も緩和される。
【００４０】
このため、左支持板３３が落下による衝撃で塑性変形するレベルまで揺れる（振動する）ことが抑制されるので、搬送ユニット１５及び記録ユニット１６が捩れて変形したり、搬送ユニット１５に対して記録ユニット１６が位置ずれしたりすることが抑制される。すなわち、搬送ユニット１５と記録ユニット１６との位置関係が維持されるので、搬送ユニット１５によって搬送されるロール紙Ｒに対する記録ユニット１６の印刷精度が低下することが抑制される。
【００４１】
因みに、左支持板３３の前後両端部が弾性支持部３７によって支持されていない場合には、インクジェット式プリンター１１の落下による衝撃によって左支持板３３の前後両端部が上下に大きく揺れると塑性変形してしまうことがある。このため、搬送ユニット１５及び記録ユニット１６が捩れて変形することで、搬送ユニット１５と記録ユニット１６との位置関係が変わってしまい、搬送ユニット１５によって搬送されるロール紙Ｒに対する記録ユニット１６の印刷精度が著しく低下してしまう。
【００４２】
以上、詳述した実施形態によれば以下の効果を得ることができる。
（１）インクジェット式プリンター１１は、ベースユニット１４に対して搬送ユニット１５及び記録ユニット１６が３つの固定支持部３６に加えて２つの弾性支持部３７によっても支持されている。このため、ベースユニット１４が落下による衝撃を受けた場合でも、搬送ユニット１５及び記録ユニット１６に加わる衝撃を弾性支持部３７のクッション材３９の弾力性によって緩和することができる。したがって、搬送ユニット１５及び記録ユニット１６が捩れて変形したり、搬送ユニット１５に対して記録ユニット１６の位置がずれたりすることが抑えられる。この結果、ベースユニット１４が落下による衝撃を受けた場合でも、該ベースユニット１４に支持された記録ユニット１６によるロール紙Ｒに対する印刷精度が低下することを抑制することができる。
【００４３】
（２）インクジェット式プリンター１１において、弾性支持部３７は、右支持板３４を介して搬送ユニット１５及び記録ユニット１６の右側を支持する２つの固定支持部３６と対向するように、左支持板３３を介して搬送ユニット１５及び記録ユニット１６の左側を支持する１つの固定支持部３６を前後方向に挟んだ両側に１つずつ配置されている。すなわち、左支持板３３を介して固定支持部３６により１箇所でしか支持されていない搬送ユニット１５及び記録ユニット１６の左側が弾性支持部３７によって該固定支持部３６を前後方向に挟んだ両側の１箇所ずつで支持されている。このため、ベースユニット１４が落下による衝撃を受けた場合に、特に該衝撃によって揺れて（振動して）変形し易い搬送ユニット１５及び記録ユニット１６の左側に加わる衝撃を前後方向においてバランスよく緩和することができる。
【００４４】
（３）搬送ユニット１５及び記録ユニット１６がベースユニット１４に装着されていない状態において、各弾性支持部３７の上面３７ａは、各固定支持部３６の上面３６ａよりも上側に位置している。このため、搬送ユニット１５及び記録ユニット１６をベースユニット１４に装着した際には弾性支持部３７のクッション材３９が確実に弾性変形した状態で搬送ユニット１５及び記録ユニット１６を支持する。したがって、ベースユニット１４が落下による衝撃を受けた場合に、搬送ユニット１５及び記録ユニット１６に加わる衝撃を効果的に緩和することができる。
【００４５】
（４）固定支持部３６は左フレーム３０の右面及び右フレーム３１の左面に設けられるとともに、弾性支持部３７は左フレーム３０の右面に設けられている。このため、ベースユニット１４が落下による衝撃を受けた場合に、その衝撃が左右両フレーム３０，３１を介して搬送ユニット１５及び記録ユニット１６に伝わるため、該被支持体に加わる衝撃を低減することができる。
【００４６】
（５）インクジェット式プリンター１１において、記録ユニット１６は、メンテナンス装置２４側（右側）が右支持板３４を介して２つの固定支持部３６で支持されている。このため、インクジェット式プリンター１１の運搬時等に、メンテナンス装置２４のキャップ（図示略）により記録ヘッド２３のノズル開口面を封止した状態で落下による衝撃や振動を受けた場合でも、記録ユニット１６におけるメンテナンス装置２４側は変形し難い。したがって、記録ヘッド２３及びメンテナンス装置２４が変形したり損傷したりすることを防止することができる。
（変更例）
なお、上記実施形態は以下のような別の実施形態に変更してもよい。
【００４７】
・左フレーム３０の右面において、１つの固定支持部３６を挟んだ両側に１つ以上ずつの弾性支持部３７を設けるようにしてもよい。この場合、左フレーム３０の右面において１つの固定支持部３６を挟んだ両側に設けられた弾性支持部３７の数は必ずしも一致させる必要はない。例えば、左フレーム３０の右面において、１つの固定支持部３６の前側に２つの弾性支持部３７を設けるとともに該１つの固定支持部３６の後側に３つの弾性支持部３７を設けるようにしてもよい。
【００４８】
・左フレーム３０の右面に設けられた２つの弾性支持部３７のうちいずれか一方を省略してもよい。
・右フレーム３１の左面にも弾性支持部３７を１つ以上設けるようにしてもよい。
【００４９】
・各弾性支持部３７の上面３７ａは、必ずしも各固定支持部３６の上面３６ａよりも上側に位置している必要はない。
・弾性支持部３７のクッション材３９には、ゴムなどのエラストマーを採用してもよい。
【００５０】
・弾性支持部３７は、本体ケース１２の底板１２ａ上に立設したコイルばねによって構成してもよいし、左フレーム３０の右面に設けた板ばねによって構成してもよい。
・ロール紙Ｒの代わりにプラスチックフィルム、布、金属の薄板などを記録媒体として用いてもよい。
【００５１】
・ロール紙Ｒの代わりに、枚葉紙（単票紙）を記録媒体として用いてもよい。
・インクジェット式プリンター１１は、記録ヘッドが固定されていて、その下を搬送される用紙（記録媒体）に対してインクを噴射する、いわゆるラインヘッドプリンターであってもよい。
【００５２】
・上記実施形態では、記録装置をインクジェット式プリンター１１に具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００５３】
１１…記録装置としてのインクジェット式プリンター、１２ａ…構造体を構成する底板、１４…構造体を構成するベースユニット、１５…被支持体を構成する搬送ユニット、１６…被支持体を構成する記録部としての記録ユニット、３０…左フレーム、３１…右フレーム、３３…被支持体を構成する左支持板、３４…被支持体を構成する右支持板、３５…支持機構、３６…固定支持部、３６ａ…第２支持面としての上面、３７…弾性支持部、３７ａ…第１支持面としての上面、Ｒ…記録媒体としてのロール紙。
【図１】
2012024984.tif 000003
【図２】
2012024984.tif 000004
【図３】
2012024984.tif 000005
【図４】
2012024984.tif 000006
【図５】
2012024984.tif 000007
【図６】
2012024984.tif 000008
【図７】
2012024984.tif 000009